(57)【要約】【課題】  保守作業を最新のレイアウト構成図に基づいて行うことが可能となり、対象機器の相違や見知らぬ機器の確認作業などが生じないレイアウト構成管理システム及び画像監視装置を提供する。【解決手段】  管理対象機器３１を撮影し映像信号とするカメラ１１からの映像データを収集し画像監視する画像監視装置１３と、画像監視装置１３とネットワーク４を介して接続するサービスセンタ装置とからなり、管理対象機器３１のレイアウト構成を管理するレイアウト構成管理システムであって、画像監視装置１３は、収集した映像データから管理対象機器３１に取付けたライトタグ３２の点滅を解析し管理対象機器３１の設置位置を特定する手段と、特定した位置を、事前に記録したレイアウト構成図の位置と比較する手段と、未確認のライトタグ又は位置変更のライトタグがあるときにサービスセンタ装置にレイアウト構成変更通知する手段とを有する。【選択図】        図１
2006332734.tif 000002
【特許請求の範囲】
【請求項１】
管理対象機器を撮影し映像信号とするカメラからの映像データを収集し画像監視する画像監視装置と、該画像監視装置とネットワークを介して接続するサービスセンタ装置とからなり、前記管理対象機器のレイアウト構成を管理するレイアウト構成管理システムであって、
前記画像監視装置は、収集した映像データから管理対象機器に取付けたライトタグの点滅を解析し該管理対象機器の設置位置を特定する手段と、特定した位置を、事前に記録したレイアウト構成図の位置と比較する手段と、未確認のライトタグ又は位置変更のライトタグがあるときに前記サービスセンタ装置にレイアウト構成変更通知する手段とを有することを特徴とするレイアウト構成管理システム。
【請求項２】
請求項１記載のレイアウト構成管理システムにおいて、
前記画像監視装置は、前記ライトタグの点滅の周期の違いで他のライトタグと区別することを特徴とするレイアウト構成管理システム。
【請求項３】
請求項１記載のレイアウト構成管理システムにおいて、
前記画像監視装置は、特定した位置及び特定した日時を、レイアウト構成図として記憶する手段を有することを特徴とするレイアウト構成管理システム。
【請求項４】
請求項１記載のレイアウト構成管理システムにおいて、
前記サービスセンタ装置は、前記画像監視装置からのレイアウト構成変更通知を受信し、変更レポートを出力するレイアウト構成変更受付サーバを備えることを特徴とするレイアウト構成管理システム。
【請求項５】
請求項４記載のレイアウト構成管理システムにおいて、
前記サービスセンタ装置は、レイアウト構成変更作業者の指示を受け、顧客システムの構成管理情報のマスタデータを変更し最新のものに変更する構成管理サーバを備えることを特徴とするレイアウト構成管理システム。
【請求項６】
管理対象機器を撮影し映像信号とするカメラからの映像データを収集し画像監視し、ネットワークを介して接続するサービスセンタ装置とで前記管理対象機器のレイアウト構成を管理するレイアウト構成管理システムを構成する画像監視装置であって、
収集した映像データから管理対象機器に取付けたライトタグの点滅を解析し該管理対象機器の設置位置を特定する手段と、特定した位置を、事前に記録したレイアウト構成図の位置と比較する手段と、未確認のライトタグ又は位置変更のライトタグがあるときに前記サービスセンタ装置にレイアウト構成変更通知する手段とを有することを特徴とする画像監視装置。
【発明の詳細な説明】
【技術分野】
【０００１】
本発明は、レイアウト構成管理システム及び画像監視装置であり、特に顧客システムの管理対象機器のレイアウト（物理的配置）を管理することができるシステム及び画像監視装置に関する。
【背景技術】
【０００２】
顧客の情報処理機器を保守、マネージメントするためにレイアウト構成図を作成して管理することが行われている。しかしながら、顧客が独自にレイアウト変更を行うことがあり、以前に作成したレイアウト構成図に基づいて保守作業を行うと、対象機器の相違や見知らぬ機器の存在などがあり、確認作業などの負担が増える場合があった。
【発明の開示】
【発明が解決しようとする課題】
【０００３】
本発明は、従来の問題を解決するものであり、保守作業を最新のレイアウト構成図に基づいて行うことが可能となり、対象機器の相違や見知らぬ機器の確認作業などが生じないレイアウト構成管理システム及び画像監視装置を提供することを目的とする。
【課題を解決するための手段】
【０００４】
本発明は、管理対象機器を撮影し映像信号とするカメラからの映像データを収集し画像監視する画像監視装置と、該画像監視装置とネットワークを介して接続するサービスセンタ装置とからなり、前記管理対象機器のレイアウト構成を管理するレイアウト構成管理システムであって、前記画像監視装置は、収集した映像データから管理対象機器に取付けたライトタグの点滅を解析し該管理対象機器の設置位置を特定する手段と、特定した位置を、事前に記録したレイアウト構成図の位置と比較する手段と、未確認のライトタグ又は位置変更のライトタグがあるときに前記サービスセンタ装置にレイアウト構成変更通知する手段とを有するレイアウト構成管理システムである。
【０００５】
また、本発明は、前記画像監視装置は、前記ライトタグの点滅の周期の違いで他のライトタグと区別するレイアウト構成管理システムである。
【０００６】
そして、本発明は、前記画像監視装置は、特定した位置及び特定した日時を、レイアウト構成図として記憶する手段を有するレイアウト構成管理システムである。
【０００７】
更に、本発明は、前記サービスセンタ装置は、前記画像監視装置からのレイアウト構成変更通知を受信し、変更レポートを出力するレイアウト構成変更受付サーバを備えるレイアウト構成管理システムである。
【０００８】
また、本発明は、前記サービスセンタ装置は、レイアウト構成変更作業者の指示を受け、顧客システムの構成管理情報のマスタデータを変更し最新のものに変更する構成管理サーバを備えるレイアウト構成管理システムである。
【０００９】
そして、本発明は、管理対象機器を撮影し映像信号とするカメラからの映像データを収集し画像監視し、ネットワークを介して接続するサービスセンタ装置とで前記管理対象機器のレイアウト構成を管理するレイアウト構成管理システムを構成する画像監視装置であって、収集した映像データから管理対象機器に取付けたライトタグの点滅を解析し該管理対象機器の設置位置を特定する手段と、特定した位置を、事前に記録したレイアウト構成図の位置と比較する手段と、未確認のライトタグ又は位置変更のライトタグがあるときに前記サービスセンタ装置にレイアウト構成変更通知する手段とを有する画像監視装置である。
【発明の効果】
【００１０】
本発明によれば、保守作業を最新のレイアウト構成図に基づいて行うことが可能となり、対象機器の相違や見知らぬ機器の確認作業など生じないレイアウト構成管理システム及び画像監視装置を得ることができる。
【発明を実施するための最良の形態】
【００１１】
本発明を実施するための最良の形態を説明する。
本発明のレイアウト構成管理システム及び画像監視装置の実施例について、図面を用いて説明する。
【実施例１】
【００１２】
実施例１を説明する。本実施例のレイアウト構成管理システムは、図１に示すように、カメラ１１、画像伝送装置１２、画像監視ＰＣ（パソコン）１３、画像蓄積ＤＢ（データベース）１４、ルータ１５、レイアウト構成変更受付サーバ２１、構成管理サーバ２２、構成管理ＤＢ２３、ルータ２４などからなる。カメラ１１は、ライトタグ３２を取付けた管理対象機器３１を撮像し映像信号を画像伝送装置１２に送出する。画像伝送装置１２は、デジタル化した映像データを画像監視ＰＣ１３に送出する。画像監視ＰＣ１３は、受け取った映像データからライトタグ３２の位置を特定する。ライトタグの位置を特定することにより、管理対象機器３１の位置を特定することができる。ライトタグ３２は、独特な点滅を周期的に行う小型のライトを有しており、点滅の周期の違いなどで他のライトタグと区別する。画像監視ＰＣ１３は、特定した管理対象機器３１の位置と、画像蓄積ＤＢ（データベース）１４に記録したレイアウト構成図とを比較することにより、未確認のライトタグや位置変更したライトタグを見出すことができる。画像監視ＰＣ１３は、レイアウト構成変更を見出すと、レイアウト構成変更通知を、ルータ１５、公衆網／インターネット４を介してサービスセンタ装置へ送信する。
【００１３】
サービスセンタ装置は、レイアウト構成変更受付サーバ２１、構成管理サーバ２２、構成管理ＤＢ２３、ルータ２４などから構成される。レイアウト構成変更受付サーバ２１は、レイアウト構成変更通知を受信し、変更レポート２５を出力する。構成管理サーバ２２は、レイアウト構成変更作業者２６の指示を受け、顧客システムの構成管理情報のマスタデータを変更し最新のものに変更する。レイアウト構成変更作業者２６は、変更レポート２５を基に、顧客や保守作業者などに詳細な変更内容の確認を行う。構成管理ＤＢ２３は、顧客システムの構成管理情報のマスタデータなどを記録する。
【００１４】
実施例のレイアウト構成管理システムにおけるレイアウト構成変更の処理の手順の一例について、図２を用いて説明する。まず、スタートし（Ｓ１００）、画像を解析して、ライトタグ特有の点滅でレイアウト位置を特定する（Ｓ１０１）。既存レイアウト構成に存続確認を反映する（Ｓ１０２）。未確認のライトタグが有るか判断し（Ｓ１０３）、なければステップＳ１０１に戻る。未確認のライトタグが有れば、サービスセンタへレイアウト変更を通知する（Ｓ１１１）。サービスセンタ装置は、レイアウト構成変更通知を受取り（Ｓ１１２）、レイアウト構成変更内容のレポートを出力する（Ｓ１１３）。レイアウト構成変更の詳細内容を確認し（Ｓ１１４）、顧客（お客様）構成管理情報のマスタを最新に変更し（Ｓ１１５）、終了となる（Ｓ１２１）。このようにして、レイアウト構成変更の処理を行うことができる。
【００１５】
以上実施例で説明したが、本発明の特徴は以下の通りである。
（１）顧客が独自で行うレイアウト変更にほぼ追従して、顧客構成情報を変更でき、障害や点検時に顧客機器がどこにあるかわからなくなるなどの問題がなくなる。
（２）監視に無線通信などを利用しないため、精密機器への影響を及ぼすなどの心配はいらない。
（３）ライトタグの点滅の周期を長くすることにより、長電池寿命とすることができる。
（４）ＵＳＢ、シリアルインターフェースなどを持つことにより、電源供給および障害通報用に拡張可能である。また、障害時は点滅間隔を変化させることで、障害通知とすることもできる。
（５）点滅の間隔を複数種類用意すると、管理対象機器の個別識別も可能である。
【図面の簡単な説明】
【００１６】
【図１】実施例のレイアウト構成管理システムの説明図。
【図２】実施例におけるレイアウト構成変更の処理の手順の一例の説明図。
【符号の説明】
【００１７】
１１  カメラ
１２  画像伝送装置
１３  画像監視ＰＣ
１４  画像蓄積ＤＢ
１５  ルータ
２１  レイアウト構成変更受付サーバ
２２  構成管理サーバ
２３  構成管理ＤＢ
２４  ルータ
２５  変更レポート
２６  レイアウト構成変更作業者
３１  管理対象機器
３２  ライトタグ
４  公衆網／インターネット
【図１】
2006332734.tif 000003
【図２】
2006332734.tif 000004